(57)【要約】  本発明はカッターヘッド（１０４）とカップ本体（１０２）とを含む食物調理器を提供し、カッターヘッド（１０４）にはカッター（１０６）が設けられ、カッターヘッド（１０４）のサイドウォールとカッターヘッド（１０４）の横断面との交線をカッターヘッドの輪郭線とし、カッターヘッドの輪郭線の最大内接円、又は最小外接円はカッターヘッドのベース円としたとき、カッターヘッドの中心軸線がカッターヘッドのベース円の円心を通り、カップ本体（１０２）のカップ壁とカップ壁の断面との交線をカップ本体の輪郭線（１１０）とし、カップ本体の輪郭線（１１０）の最大内接円、又は最小外接円をカップ本体のベース円（１０８）としたとき、カップ本体の中心軸線がカップ本体のベース円（１０８）の円心を通り、カップ本体の同一輪郭線における異なる点から、前記カップ本体のベース円の円心までの距離が異なり、カッターヘッドの同一輪郭線における異なる点から、前記カッターヘッドのベース円の円心までの距離が同じ又は異なる。【選択図】図３
2019528924.tif 000002
【特許請求の範囲】
【請求項１】
カッターヘッドとカップ本体を含み、
前記カッターヘッドにはカッターが設けられ、前記カッターヘッドのサイドウォールと前記カッターヘッドの横断面との交線をカッターヘッドの輪郭線とし、前記カッターヘッドの輪郭線の最大内接円、又は最小外接円をカッターヘッドのベース円としたとき、カッターヘッドの中心軸線が前記カッターヘッドのベース円の円心を通り、
前記カップ本体は、前記カッターヘッドの上方に位置し、前記カッターヘッド上に設けられ、前記カップ本体のカップ壁と前記カップ壁の横断面との交線をカップ本体の輪郭線とし、前記カップ本体の輪郭線の最大内接円、又は最小外接円をカップ本体のベース円としたとき、カップ本体の中心軸線が前記カップ本体のベース円の円心を通り、
カップ本体の同一輪郭線における異なる点から、前記カップ本体のベース円の円心までの距離が異なり、
カッターヘッドの同一輪郭線における異なる点から、前記カッターヘッドのベース円の円心までの距離が同じ又は異なることを特徴とする食物調理器。
【請求項２】
前記カッターヘッドの中心軸線と前記カップ本体の中心軸線とは、重なっていることを特徴とする請求項１に記載の食物調理器。
【請求項３】
前記カッターヘッドの中心軸線と前記カッターの軸線とは、前記カップ本体の中心軸線と重なっていることを特徴とする請求項２に記載の食物調理器。
【請求項４】
前記カッターヘッドの中心軸線は、前記カップ本体の中心軸線と重なっており、前記カッターの軸線との間に、偏心距離Ｌ１があることを特徴とする請求項２に記載の食物調理器。
【請求項５】
前記カッターヘッドの中心軸線と前記カップ本体の中心軸線とは重なっていないことを特徴とする請求項１に記載の食物調理器。
【請求項６】
前記カッターヘッドの中心軸線は、前記カッターの軸線と重なっており、前記カップ本体の中心軸線との間に、偏心距離Ｌ２があることを特徴とする請求項５に記載の食物調理器。
【請求項７】
前記カップ本体の中心軸線は、前記カッターの軸線と重なっており、前記カッターヘッドの中心軸線との間に、偏心距離Ｌ３があることを特徴とする請求項５に記載の食物調理器。
【請求項８】
前記カップ本体の中心軸線と、前記カッターヘッドの中心軸線との間に、偏心距離Ｌ４があり、
前記カッターヘッドの中心軸線と、前記カッターの軸線との間に、偏心距離Ｌ５があり、
前記カップ本体の中心軸線と、前記カッターの軸線との間に、偏心距離Ｌ６があることを特徴とする請求項５に記載の食物調理器。
【請求項９】
輪郭線における異なる点からベース円の円心までの距離から、ベース円の半径をマイナスした絶対値である輪郭偏心距離を更に含み、
前記カップ本体の輪郭偏心距離はＬ７であり、前記カッターヘッドの輪郭偏心距離はＬ８であることを特徴とする請求項１に記載の食物調理器。
【請求項１０】
前記偏心距離Ｌ１のとる値の範囲は、０ｍｍ≦Ｌ１≦５０ｍｍであることを特徴とする請求項４に記載の食物調理器。
【請求項１１】
前記偏心距離Ｌ２のとる値の範囲は、０ｍｍ≦Ｌ２≦５０ｍｍであることを特徴とする請求項６に記載の食物調理器。
【請求項１２】
前記偏心距離Ｌ３のとる値の範囲は、０ｍｍ≦Ｌ３≦５０ｍｍであることを特徴とする請求項７に記載の食物調理器。
【請求項１３】
前記偏心距離Ｌ４、前記偏心距離Ｌ５及び前記偏心距離Ｌ６のとる値の範囲は、それぞれ、０ｍｍ≦Ｌ４≦５０ｍｍ、０ｍｍ≦Ｌ５≦５０ｍｍ、０ｍｍ≦Ｌ６≦５０ｍｍであることを特徴とする請求項８に記載の食物調理器。
【請求項１４】
前記カップ本体の輪郭偏心距離Ｌ７、前記カッターヘッドの輪郭偏心距離Ｌ８のとる値の範囲は、それぞれ、０ｍｍ≦Ｌ７≦１００ｍｍ、０ｍｍ≦Ｌ８≦１００ｍｍであることを特徴とする請求項９に記載の食物調理器。
【請求項１５】
前記カッターヘッドと前記カップ本体とは、一体構造又は別体構造であることを特徴とする請求項１乃至１４のいずれか一項に記載の食物調理器。
【請求項１６】
前記カップ本体の横断面は凸円形であり、及び／又は、前記カッターヘッドの横断面は凸円形であることを特徴とする請求項１乃至１４のいずれか一項に記載の食物調理器。
【請求項１７】
前記カップ壁は、前記カップ本体の外壁と前記カップ本体の内壁とを含み、
前記カップ本体の前記輪郭線は、前記カップ本体の外壁と前記カップ本体の外壁横断面との交線であり、又は、前記カップ本体の前記輪郭線は、前記カップ本体の内壁と前記カップ本体の内壁横断面との交線であることを特徴とする請求項１乃至１４のいずれか一項に記載の食物調理器。
【請求項１８】
前記カッターは、少なくとも２セットのナイフブレードを含み、各セットのナイフブレードは、少なくとも２枚のブレードを含み、
１セットの前記ナイフブレードのブレードが下向きに傾いて延伸し、１セットの前記ナイフブレードのブレードが上向きに傾いて延伸し、又は、
１セットの前記ナイフブレードのブレードが水平に延伸し、１セットの前記ナイフブレードのブレードが、上向き又は下向きに傾いて延伸することを特徴とする請求項１乃至１４のいずれか一項に記載の食物調理器。
【請求項１９】
前記カッターは２セットのナイフブレードであり、それぞれは、第１のナイフブレードと第２のナイフブレードであり、各セットの前記ナイフブレードは２枚のブレードからなり、
前記第１のナイフブレードのブレードは、傾斜部と水平部とを含み、前記傾斜部が、前記カッターヘッドの中心軸線に接近し、前記水平部が前記カッターヘッドの中心軸線から離れ、
前記第１のナイフブレードのブレードが下向きに傾いて延伸し、且つ前記第２のナイフブレードの下方に設けられ、前記第２のナイフブレードのブレードが上向きに傾いて延伸することを特徴とする請求項１８に記載の食物調理器。
【請求項２０】
前記第１のナイフブレードと前記第２のナイフブレードとは、一体構造であることを特徴とする請求項１９に記載の食物調理器。
【請求項２１】
前記カップ本体内にはスポイラーリブが設けられ、前記カップ本体にはカップ蓋が設けられ、前記カップ蓋には投入口が設けられ、前記投入口には投入口カバーが設けられていることを特徴とする請求項１乃至１４のいずれか一項に記載の食物調理器。
【請求項２２】
前記カップ本体が設置されるカップ台を更に含み、
前記カップ本体と前記カップ台とは、螺合接続されるか、又は係着されることを特徴とする請求項１乃至１４のいずれか一項に記載の食物調理器。
【請求項２３】
前記カッターヘッドと前記カップ本体との間に、リングシールが設けられ、前記カップ本体と前記カップ台が螺合接続されることにより、前記カッターヘッドを前記カップ本体の底部に押し付けて固定することを特徴とする請求項２２に記載の食物調理器。
【発明の詳細な説明】
【技術分野】
【０００１】
本発明は、生活用電機分野に関し、特に、食物調理器に関する。
【背景技術】
【０００２】
従来のミキシングシステムは、通常に規則的であり、カッターヘッドの中心軸線、カッターの中心軸線、及びカップ本体の中心軸線が共線し、カッターヘッド輪郭とカップ本体輪郭の形状が規則的であり、スポイラー（攪拌）効果が良くなく、破砕性能が悪い。
【発明の概要】
【発明が解決しようとする課題】
【０００３】
本発明は、少なくとも上記課題の一つを解決することをその目的とする。
【課題を解決するための手段】
【０００４】
上記課題を解決するために、本発明の一態様は、食物調理器を提供する。
【０００５】
これに鑑み、本発明の一態様の実施例によれば、カッターヘッドとカップ本体を含み、カッターヘッドにはカッターが設けられ、カッターヘッドのサイドウォールとカッターヘッドの横断面との交線をカッターヘッドの輪郭線とし、カッターヘッドの輪郭線の最大内接円、又は最小外接円をカッターヘッドのベース円としたとき、カッターヘッドの中心軸線がカッターヘッドのベース円の円心を通り、カップ本体は、カッターヘッドの上方に位置し、カッターヘッド上に設けられ、カップ本体のカップ壁とカップ壁の横断面との交線をカップ本体の輪郭線とし、カップ本体の輪郭線の最大内接円、又は最小外接円をカップ本体のベース円としたとき、カップ本体の中心軸線がカップ本体のベース円の円心を通り、カップ本体の同一輪郭線における異なる点から、前記カップ本体のベース円の円心までの距離が異なり、カッターヘッドの同一輪郭線における異なる点から、前記カッターヘッドのベース円の円心までの距離が同じ又は異なることを特徴とする食物調理器を提供する。
【０００６】
本発明で提供する食物調理器は、一態様として、カップ本体の同一輪郭線における異なる点から、前記カップ本体のベース円の円心までの距離が異なり、カッターヘッドの同一輪郭線における異なる点から、前記カッターヘッドのベース円の円心までの距離が同じである。即ちカップ本体輪郭線が偏心し、カッターヘッド輪郭線が偏心しない。カップ本体輪郭の偏心技術を採用した食物調理器によって、食物攪拌を行うことで、攪拌のスワール（旋回流）効果が改善でき、食物のカップ本体内でのかき混ぜ速度を異ならせて、カッターが食物を粉砕することに有利であり、さらに攪拌性能を向上させ、食物の食感が良くて、ユーザー体験を向上させる。一態様として、カップ本体の同一輪郭線における異なる点から、前記カップ本体のベース円の円心までの距離が異なり、即ちカップ本体輪郭線が偏心しており、且つカッターヘッドの同一輪郭線における異なる点から、前記カッターヘッドのベース円の円心までの距離が異なり、即ちカッターヘッド輪郭線も偏心している。即ち、カップ本体輪郭が偏心し、且つカッター輪郭も偏心している。このような偏心技術を採用した食物調理器によって、食物攪拌を行うことで、攪拌のスワール効果が改善でき、カッターが食物を粉砕することに有利であり、さらに攪拌性能を向上させ、食物の食感が良くて、ユーザー体験を向上させる。更に、カップ本体の中心軸線、カッターヘッドの中心軸線、及びカッターの軸線の相対的な位置を調整することで、相互的な偏心を実現し、更に偏心技術によって、スポイラー効果を改善し、攪拌性能を向上させる。更に、食物調理器のカップ本体は、上部開口と下部開口を有し、且つ前記カップ本体の横断面積が、上から下に向かって小さくなり、即ちカップ本体全体が一定のテーパを有し、下端の横断面積より、上端の横断面積が大きく、一方では、カッターが食物を破砕することに有利であり、他方では、一定のテーパを有するカップ本体は、スポイラーに有利であり、食物のスポイラー効果及び破砕効果を改善させ、食物の食感を向上させる。
【０００７】
また、本発明で提供する上記実施例における食物調理器は、さらに以下の付加的な技術的特徴を有する。
【０００８】
上記技術案において、カッターヘッドの中心軸線とカップ本体の中心軸線とは、重なっていることが好ましい。
【０００９】
該技術方案において、カッターヘッドとカップ本体の中心線が重なっていることで、カッターヘッド輪郭が偏心しなく、カップ本体輪郭が偏心することになり、食物調理器が偏心構造を採用して食物の攪拌を行うことで、攪拌のスワール効果が改善でき、カッターが食物を粉砕することに有利であり、さらに攪拌性能を向上させ、食物の食感が良くて、ユーザー体験を向上させる。更に、カッターの軸線と、カッターヘッドの中心軸線、及びカップ本体の中心軸線の相対的な位置を変えることによって、スポイラー効果を改善して、攪拌性能を向上させる。
【００１０】
上記技術案において、カッターヘッドの中心軸線とカッターの軸線とは、カップ本体の中心軸線と重なっていることが好ましい。
【００１１】
当該技術方案において、カッターヘッドの中心軸線とカッターの軸線が、カップ本体の中心軸線と重なっている。即ちカップ本体、カッターヘッド、及びカッターは、同一中心軸線であり、カップ本体輪郭が偏心し、カッターヘッド輪郭が偏心しなく、且つカッターの軸線とカップ本体、カッターヘッドの軸線が同軸である偏心構造を構成している。このような偏心構造を採用した食物調理器によって、食物攪拌を行うことで、攪拌のスワール効果が改善でき、カッターが食物を粉砕することに有利であり、さらに攪拌性能を向上させ、食物の食感が良くて、ユーザー体験を向上させる。
【００１２】
上記技術案において、カッターヘッドの中心軸線は、カップ本体の中心軸線と重なっており、カッターの軸線との間に、偏心距離Ｌ１があることが好ましい。
【００１３】
当該技術方案において、カッターヘッドの中心軸線は、カップ本体の中心軸線と重なっており、カッターの軸線との間に、偏心距離Ｌ１を有する。即ちカップ本体輪郭が偏心している場合において、カッターの軸線は、カップ本体の中心軸線とカッターヘッドの中心軸線に対して偏心している。カッターの相対的な偏心と、カップ本体輪郭の偏心を組み合わせた構造を採用することによって、攪拌のスワール効果を改善し、カッターが食物を粉砕することに有利であり、さらに攪拌性能を向上させ、食物の食感が良くて、ユーザー体験を向上させる。
【００１４】
上記技術案において、カッターヘッドの中心軸線とカップ本体の中心軸線とは重なっていないことが好ましい。
【００１５】
当該技術方案において、カッターヘッドの中心軸線と、カップ本体の中心軸線とは重なっていない。即ち軸線が相対的に偏心し、同時にカップ本体輪郭が偏心することを組み合わせ、食物調理器は、この偏心構造を採用して食物攪拌を行うことで、攪拌のスワール効果が改善でき、カッターが食物を粉砕することに有利であり、さらに攪拌性能を向上させ、食物の食感が良くて、ユーザー体験を向上させる。
【００１６】
上記技術案において、カッターヘッドの中心軸線は、カッターの軸線と重なっており、カップ本体の中心軸線との間に、偏心距離Ｌ２があることが好ましい。
【００１７】
当該技術方案において、カップ本体輪郭が偏心するとともに、カップ本体の中心軸線は、カッターヘッドの中心軸線とカッターの軸線に対して、偏心距離Ｌ２を有し、このような偏心構造を採用したカップ本体によって、食物攪拌を行うことで、攪拌のスワール効果が改善でき、カッターが食物を粉砕することに有利であり、さらに攪拌性能を向上させ、食物の食感が良くて、ユーザー体験を向上させる。
【００１８】
上記技術案において、カップ本体の中心軸線は、カッターの軸線と重なっており、カッターヘッドの中心軸線との間に、偏心距離Ｌ３があることが好ましい。
【００１９】
当該技術方案において、カップ本体の中心軸線はカッターの軸線と重なっており、カッターヘッドの中心軸線との間に、偏心距離Ｌ３を有する。即ちカップ本体輪郭の偏心と、カップ本体とカッターとが同軸でありカッターヘッドの軸線との間に偏心距離Ｌ３を有することを組み合わせ、この偏心構造を採用することによって、攪拌のスワール効果を改善し、カッターが食物を粉砕することに有利であり、さらに攪拌性能を向上させ、食物の食感が良くて、ユーザー体験を向上させる。
【００２０】
上記技術案において、カップ本体の中心軸線と、カッターヘッドの中心軸線との間に、偏心距離Ｌ４があり、カッターヘッドの中心軸線と、カッターの軸線との間に、偏心距離Ｌ５があり、カップ本体の中心軸線と、カッターの軸線との間に、偏心距離Ｌ６があることが好ましい。
【００２１】
当該技術方案において、カップ本体の中心軸、カッターヘッドの中心軸、及びカッター軸の間に、いずれも偏心距離を有する。この偏心構造を採用することによって、攪拌のスワール効果を更に改善し、カッターが食物を粉砕することに有利であり、さらに攪拌性能を向上させ、食物の食感が良くて、ユーザー体験を向上させる。カップ本体の中心軸線、カッターの中心軸線、及びカッターヘッドの中心軸線が、非直線又は非平行である時に、各中心軸線の間の距離というのは、各中心軸線と任意の同一横断面との交点間の距離を示す。
【００２２】
上記技術案において、輪郭線における異なる点からベース円の円心までの距離から、ベース円の半径をマイナスした絶対値である輪郭偏心距離を更に含み、カップ本体の輪郭偏心距離はＬ７であり、カッターヘッドの輪郭偏心距離はＬ８であることが好ましい。
【００２３】
当該技術方案において、一態様として、カッターヘッド輪郭が偏心しなく、カップ本体の輪郭偏心距離はＬ７である。一態様として、カップ本体の輪郭偏心距離はＬ７であり、カッターヘッドの輪郭偏心距離はＬ８である。偏心構造によって、スポイラー効果を改善して、さらに破砕性能を向上させる。
【００２４】
上記技術案において、偏心距離Ｌ１のとる値の範囲は、０ｍｍ≦Ｌ１≦５０ｍｍであることが好ましい。
【００２５】
上記技術案において、偏心距離Ｌ２のとる値の範囲は、０ｍｍ≦Ｌ２≦５０ｍｍであることが好ましい。
【００２６】
上記技術案において、偏心距離Ｌ３のとる値の範囲は、０ｍｍ≦Ｌ３≦５０ｍｍであることが好ましい。
【００２７】
上記技術案において、前記偏心距離Ｌ４、前記偏心距離Ｌ５及び前記偏心距離Ｌ６のとる値の範囲は、それぞれ、０ｍｍ≦Ｌ４≦５０ｍｍ、０ｍｍ≦Ｌ５≦５０ｍｍ、０ｍｍ≦Ｌ６≦５０ｍｍであることが好ましい。
【００２８】
上記技術案において、カップ本体の輪郭偏心距離Ｌ７、カッターヘッドの輪郭偏心距離Ｌ８のとる値の範囲は、それぞれ、０ｍｍ≦Ｌ７≦１００ｍｍ、０ｍｍ≦Ｌ８≦１００ｍｍであることが好ましい。
【００２９】
当該技術方案において、合理的な偏心距離を設置することによって、最適なスポイラー効果を実現し、攪拌性能を向上する。
【００３０】
上記技術案において、カッターヘッドとカップ本体とは、一体構造又は別体構造であることが好ましい。
【００３１】
当該技術方案において、一態様として、カッターヘッドとカップ本体とは一体構造であり、安定性が良く、取り付け易く、生産効率を向上させ、輪郭偏心は部品の一部分でよい。一態様として、カッターヘッドとカップ本体とは別体構造であり、取外・メンテナンスに便利であるが、カッターヘッドとカップ本体の密封性を保証するために、カッターヘッドとカップ本体との間にリングシールが設けられることが好ましい。
【００３２】
上記技術案において、カップ本体の横断面は凸円形であり、及び／又は、カッターヘッドの横断面は凸円形であることが好ましい。
【００３３】
当該技術方案において、一態様として、カップ本体の横断面が凸円形である。一態様として、カップ本体とカッターヘッドの横断面がともに凸円形である。不規則な曲線で偏心を作ることで、カップ本体のスポイラー効果を改善し、カッターが食物を粉砕することに有利であり、さらに攪拌性能を向上させる。更に、凸円形は楕円であり、カップ本体の横断面は楕円である。このような構造のカップ本体が加工し易く、同時に、カッターヘッド中心軸、カッター中心軸、及びカップ本体中心軸を、それぞれ楕円の両軸線に配置して、偏心を形成することで、構造が簡単で、操作し易く、且つ更にカップ本体のスポイラー効果を改善し、カッターが食物を粉砕することに有利であり、さらに攪拌性能を向上させる。
【００３４】
上記技術案において、カップ壁は、カップ本体の外壁とカップ本体の内壁とを含み、カップ本体の輪郭線は、カップ本体の外壁とカップ本体の外壁横断面との交線であり、又は、カップ本体の輪郭線は、カップ本体の内壁とカップ本体の内壁横断面との交線であることが好ましい。
【００３５】
当該技術方案において、カップ本体の輪郭線は、カップ本体の外壁とカップ壁横断面との交線であっても良く、カップ本体の内壁とカップ壁横断面との交線であっても良い。様々な方法で輪郭線を取得でき、且つ同一輪郭線における異なる点から、前記カッターヘッドにおける前記ベース円の円心までの距離が異なって、偏心構造を形成して、さらにスワール効果を改善し、攪拌性能を向上させる。
【００３６】
上記いずれか一つの技術案において、カッターは、少なくとも２セットのナイフブレードを含み、各セットのナイフブレードは、少なくとも２枚のブレードを含み、１セットのナイフブレードのブレードが下向きに傾いて延伸し、１セットのナイフブレードのブレードが上向きに傾いて延伸し、又は、１セットのナイフブレードのブレードが水平に延伸し、１セットのナイフブレードのブレードが、上向き又は下向きに傾いて延伸することが好ましい。
【００３７】
当該技術方案において、複数のセットのナイフブレードを設け、且つ各セットのナイフブレードの延伸角度が異なることで、カップ本体のスポイラー効果を更に向上させ、カッターと食物との接触面積を増加して、食物に対する複数回の破砕を実現し、食物の破砕がもっと徹底的になり、食物の食感が良く、ユーザー使用の満足度を向上させる。
【００３８】
上記技術案において、カッターは２セットのナイフブレードであり、それぞれは、第１のナイフブレードと第２のナイフブレードであり、各セットのナイフブレードは２枚のブレードからなり、第１のナイフブレードのブレードは、傾斜部と水平部とを含み、傾斜部が、カッターヘッドの中心軸線に接近し、水平部が前記カッターヘッドの中心軸線から離れ、第１のナイフブレードのブレードが下向きに傾いて延伸し、且つ第２のナイフブレードの下方に設けられ、第２のナイフブレードのブレードが上向きに傾いて延伸することが好ましい。
【００３９】
当該技術方案において、２セットのナイフブレードを設け、第１のナイフブレードが第２のナイフブレードの上方に設けられ、且つ第１のナイフブレードのブレードが下向きに延伸し、第２のナイフブレードの方向は上向きに延伸し、延伸する方向は逆である。上方両側のナイフブレードを設けることによって、カッターと食物との接触面積を十分に増加させ、破砕効率を向上させる。ブレードの延伸方向を逆方向に設けることによって、異なる高さのスポイラー効果と破砕効果を更に改善し、食物破砕効率を全体的に向上させ、破砕効果も改善されて、食物の食感とユーザーの使用体験を向上させる。
【００４０】
上記技術案において、第１のナイフブレードと第２のナイフブレードとは、一体構造であることが好ましい。
【００４１】
当該技術方案において、２セットのナイフブレードを一体構造に設けることによって、カッターの全体強度を強化させ、カッター使用の信頼性を保証し、カッターの使用寿命を延ばし、且つ一体式カッターは、メンテナンスと取付に便利であり、生産効率を向上させる。
【００４２】
上記いずれか一つの技術案において、カップ本体内にはスポイラーリブが設けられ、カップ本体にはカップ蓋が設けられ、カップ蓋には投入口が設けられ、投入口には投入口カバーが設けられていることが好ましい。
【００４３】
当該技術方案において、カップ本体には、スポイラーリブを設けることで、スポイラー効果と破砕効果を更に改善し、カップ本体には、カップ蓋を設けることで、カップ本体が食物を破砕する過程における飛散で、衛生環境に影響することがないように保証する。更に、カップ蓋には、投入口を設け、投入し易く、カップ蓋を頻繁に開けることを避け、操作ステップを減少できる。カップ本体内に不純物が入らないことを保証するために、投入口には、投入口カバーを設けて、投入完了後、投入口カバーで、投入口を閉めて、使用の衛生性を保証する。
【００４４】
上記技術案において、カップ本体が設置されるカップ台を更に含み、カップ本体と前記カップ台とは、螺合接続されるか、又は係着されることが好ましい。
【００４５】
当該技術方案において、カップ本体がカップ台に設置され、カップ本体とカップ台とは螺合接続されるか、又は係着され、構造が簡単で、取付及び取外しに便利であり、生産効率を向上させ、生産コストを低減する。
【００４６】
上記技術案において、カッターヘッドとカップ本体との間に、リングシールが設けられ、カップ本体とカップ台が螺合接続されることにより、カッターヘッドをカップ本体の底部に押し付けて固定することが好ましい。
【００４７】
当該技術方案において、カッターヘッドとカップ本体との間にリングシールを設けることによって、カップ本体とカッターヘッドとの間の密封効果を保証し、更に、カップ本体とカップ台の螺合接続によって、カッターヘッドがカップ本体底部に押し付けられるので、カッターヘッドの固定に更に有利であり、使用の安全性を保証する。
【００４８】
本発明の他の様態やメリットは以下の説明によって明確になり、又は本発明を実施することで理解できる。
【図面の簡単な説明】
【００４９】
本発明の上記及び／又は他の態様やメリットは、以下の図面を結合した実施例の説明から明確になり、容易に理解することができる。
【図１】最小外接円を示す模式図。
【図２】最大内接円を示す模式図。
【図３】本発明の一実施例の食物調理器構造を示す模式図。
【図４】本発明の他の一つの実施例の食物調理器の構造を示す模式図。
【図５】本発明のもう一つの実施例の食物調理器の構造を示す模式図。
【図６】本発明のもう一つの実施例の食物調理器の構造を示す模式図。
【図７】本発明のもう一つの実施例の食物調理器の構造を示す模式図。
【図８】本発明の一実施例のカッターヘッド偏心構造を示す模式図。
【図９】本発明の他の一つの実施例のカッターヘッド偏心構造を示す模式図。
【図１０】本発明の一実施例の食物調理器の分解構造を示す模式図。
【図１１】図１０に示した実施例の食物調理器の組立後の構造を示す模式図。
【発明を実施するための形態】
【００５０】
本発明の上記目的、特徴、メリットを一層明確に理解するように、以下、図面と具体な実施形態を結合して本発明を更に詳しく説明する。なお、衝突しない限り、本願の実施例及び実施例中の特徴を組み合せすることができる。
【００５１】
本発明を充分に理解するように、以下の説明で多くの具体な詳細を説明するが、本発明はここで説明する形態と異なる形態で実施することもできるので、本発明の保護範囲は以下で開示する具体な実施例に限定されない。
【００５２】
以下、図１乃至図１１を参照して、本発明に係る一部の実施例による食物調理器を説明する。
【００５３】
図３乃至図７に示すように、本発明で提供する食物調理器１は、カッターヘッド１０４とカップ本体１０２を含み、カッターヘッド１０４にはカッター１０６が設けられ、カッターヘッド１０４のサイドウォールとカッターヘッド１０４の断面との交線をカッターヘッドの輪郭線とし、カッターヘッドの輪郭線の最大内接円、又は最小外接円をカッターヘッドのベース円としたとき、カッターヘッド１０４の中心軸線がカッターヘッドのベース円の円心を通り、カップ本体１０２は、カッターヘッド１０４の上方に位置し、カッターヘッド１０４上に設けられ、カップ本体１０２のカップ壁とカップ壁の断面との交線をカップ本体の輪郭線１１０とし、カップ本体の輪郭線１１０の最大内接円、又は最小外接円をカップ本体のベース円１０８としたとき、カップ本体１０２の中心軸線がカップ本体のベース円１０８の円心を通り、カップ本体の同一輪郭線１１０における異なる点から、前記カップ本体のベース円１０８円心までの距離が異なり、カッターヘッドの同一輪郭線における異なる点から、前記カッターヘッドのベース円の円心までの距離が同じである。
【００５４】
本発明で提供する食物調理器１は、図１に示すように、最小外接円とは、実際に測定された輪郭に外接可能な最小円で、その円心はＯであり、図２に示すように、最大内接円とは、実際に測定された輪郭に内接可能な最大円で、その円心はＯ’である。本発明で提供する食物調理器は、カッターヘッド輪郭線とカップ本体輪郭線の最大内接円、又は最小外接円は、それぞれカッターヘッド輪郭線のカッターヘッドベース円、カップ本体輪郭線のカップ本体ベース円であり、カッターヘッドの軸線とカップ本体の軸線は、それぞれカッターヘッドベース円の円心とカップ本体ベース円の円心を通る。一態様として、カップ本体の同一輪郭線１１０における異なる点から、前記カップ本体ベース円１０８円心までの距離が異なり、カッターヘッドの同一輪郭線における異なる点から、前記カッターヘッドベース円の円心までの距離が同じ、即ちカップ本体輪郭線１１０が偏心し、カッターヘッド輪郭線が偏心しない。カップ本体輪郭の偏心技術を採用した食物調理器１によって、食物攪拌を行うことで、攪拌のスワール効果を改善し、食物のカップ本体内でのスポイラー速度を異ならせて、カッター１０６が食物を粉砕することに有利であり、攪拌性能を更に向上させ、食物の食感が良く、ユーザー体験を向上させる。一態様として、カップ本体の同一輪郭線１１０における異なる点から、前記カップ本体ベース円１０８円心までの距離が異なり、即ちカップ本体輪郭線１１０が偏心し、図８及び図９に示すように、カッターヘッドの同一輪郭線における異なる点から、前記カッターヘッドベース円の円心までの距離が異なり、即ちカッターヘッド輪郭も偏心している。即ちカップ本体輪郭が偏心し、且つカッター輪郭も偏心している。このような偏心技術を採用した食物調理器によって、食物攪拌を行うことで、攪拌のスワール効果が改善でき、カッターが食物を粉砕することに有利であり、さらに攪拌性能を向上させ、食物の食感が良く、ユーザー体験を向上させる。更に、カップ本体の中心軸線、カッターヘッドの中心軸線、及びカッターの軸線の相対的な位置を調整することによって、互いの偏心を実現し、偏心技術によって、スポイラー効果を改善し、攪拌性能を向上させる。更に、食物調理器のカップ本体１０２は、上部開口と下部開口を含み、且つ前記カップ本体１０２の横断面積が、上から下に向かって小さくなり、即ちカップ本体１０２全体は、一定のテーパを有し、下端の横断面積より、上端の横断面積が大きいため、一方ではカッターが食物を破砕することに有利に働き、もう一方では一定のテーパを有するカップ本体１０２は、スポイラーに有利であり、食物のスポイラー効果と破砕効果を更に改善し、食物の食感を向上させる。
【００５５】
更に、本発明で提供する食物調理器１は、カッターヘッド１０４には、加熱装置が設けられ、加熱装置は、発熱プレート、コイルプレート、及び加熱コーティング層などを含み、発熱プレートは、凹溝式構造であり、カッター１０６は前記加熱装置を通してカッターヘッド内に設けられ、カップ本体１０２が加熱装置の上方に位置し、カップ本体１０２とカッターヘッドにはともにスポイラーリブ１１２が設けられる。カップ本体１０２を偏心構造に設計することで、スポイラーリブ１１２と合わせて、攪拌のスポイラー効果を改善し、カッター１０６が食物を粉砕することに有利であり、さらに攪拌性能を向上させ、食物の食感が良く、ユーザー体験を向上させる。
【００５６】
本発明の一実施例において、カッターヘッド１０４の中心軸線とカップ本体１０２の中心軸線とは重なっていることが好ましい。
【００５７】
この実施例において、カッターヘッド１０４とカップ本体１０２との中心線とは重なっており、カッターヘッド輪郭が偏心しなく、カップ本体１０２輪郭が偏心している。食物調理器１が偏心構造を採用して食物攪拌を行うことで、攪拌のスワール効果を改善し、カッター１０６が食物を粉砕することに有利であり、さらに攪拌性能を向上させ、食物の食感が良く、ユーザー体験を向上させる。更に、カッターの軸線とカッターヘッドの中心軸線及びカップ本体の中心軸線の相対的な位置を変えることによって、スポイラー効果を改善し、攪拌性能を向上させる。
【００５８】
本発明の一実施例において、図３に示すように、カッターヘッド１０４の中心軸線とカッター１０６の軸線とは、カップ本体１０２の中心軸線と重なっていることが好ましい。
【００５９】
この実施例において、カップ本体ベース円の円心ＯＣを通るカップ本体１０２の中心軸線、カッターの軸線ＯＫを通るカッター１０６の軸線、及びカッターヘッドベース円の円心ＯＰを通るカッターヘッド１０４の中心軸線は重なっている。即ちカップ本体１０２、カッターヘッド１０４、及びカッター１０６は同一中心軸線を有し、カップ本体１０２輪郭が偏心し、カッターヘッド１０４輪郭が偏心しなく、且つカッターの軸線とカップ本体、カッターヘッドの軸線が同軸である偏心構造を構成する。このような偏心構造を採用した食物調理器１で食物攪拌を行うことで、攪拌のスワール効果が改善でき、カッター１０６が食物を粉砕することに有利であり、さらに攪拌性能を向上させ、食物の食感が良く、ユーザー体験を向上させる。
【００６０】
本発明の一実施例において、カッターヘッド１０４の中心軸線は、カップ本体１０２の中心軸線と重なっており、カッター１０６の軸線との間に、偏心距離Ｌ１があることが好ましい。
【００６１】
この実施例において、図４に示すように、カッターヘッドベース円の円心ＯＰを通るカッターヘッド１０４の中心軸線が、カップ本体ベース円の円心ＯＣを通るカップ本体１０２の中心軸線と重なっており、カッターの軸線ＯＫを通るカッター１０６の軸線との間に、偏心距離Ｌ１がある。即ちカップ本体輪郭が偏心している場合において、カッターの軸線が、カップ本体の中心軸線とカッターヘッドの中心軸線に対して偏心している。カッター１０６の相対的な偏心とカップ本体輪郭の偏心とを組み合わせた構造により、攪拌のスワール効果を改善し、カッター１０６が食物を粉砕することに有利であり、さらに攪拌性能を向上させ、食物の食感が良く、ユーザー体験を向上させる。
【００６２】
本発明の一実施例において、カッターヘッド１０４の中心軸線とカップ本体１０２の中心軸線とが重なっていないことが好ましい。
【００６３】
この実施例において、カッターヘッド１０４の中心軸線が、カップ本体１０２の中心軸線と重なっていない。即ち軸線が相対的に偏心している。同時にカップ本体１０２輪郭の偏心と組み合わせて、この偏心構造を採用した食物調理器１によって、食物攪拌を行うことで、攪拌のスワール効果が改善でき、カッター１０６が食物を粉砕することに有利であり、さらに攪拌性能を向上させ、食物の食感が良く、ユーザー体験を向上させる。
【００６４】
本発明の一実施例において、カッターヘッド１０４の中心軸線は、カッター１０６の軸線と重なっており、カップ本体１０２の中心軸線との間に、偏心距離Ｌ２があることが好ましい。
【００６５】
この実施例において、図５に示すように、カッターヘッドベース円の円心ＯＰを通るカッターヘッド１０４の中心軸線が、カッターの軸線ＯＫを通るカッター１０６の軸線と重なっており、カップ本体ベース円の円心ＯＣを通るカップ本体１０２の中心軸線との間に、偏心距離Ｌ２がある。即ちカップ本体輪郭が偏心し、同時にカップ本体の中心軸線は、カッターヘッド１０４の中心軸線とカッター１０６の軸線に対して、偏心距離Ｌ２がある。このような偏心構造を採用したカップ本体１０２によって、食物攪拌を行うことで、攪拌のスワール効果を改善し、カッター１０６が食物を粉砕することに有利であり、さらに攪拌性能を向上させ、食物の食感が良く、ユーザー体験を向上させる。
【００６６】
本発明の一実施例において、カップ本体１０２の中心軸線は、カッター１０６の軸線と重なっており、カッターヘッド１０４の中心軸線との間に、偏心距離Ｌ３があることが好ましい。
【００６７】
この実施例において、図６に示すように、カップ本体ベース円の円心ＯＣを通るカップ本体１０２の中心軸線が、カッターの軸線ＯＫを通るカッター１０６の軸線と重なっており、カッターヘッドベース円の円心ＯＰを通るカッターヘッド１０４の中心軸線との間に、偏心距離Ｌ３がある。即ちカップ本体輪郭の偏心と、カップ本体１０２とカッター１０６とは同軸であり、カッターヘッド１０４の中心軸線との間に偏心距離Ｌ３があることを組み合わせている。この偏心構造を採用することによって、攪拌のスワール効果を改善し、カッター１０６が食物を粉砕することに有利であり、さらに攪拌性能を向上させ、食物の食感が良く、ユーザー体験を向上させる。
【００６８】
本発明の一実施例において、カップ本体１０２の中心軸線と、カッターヘッド１０４の中心軸線との間に、偏心距離Ｌ４があり、カッターヘッド１０４の中心軸線と、カッター１０６の軸線との間に、偏心距離Ｌ５があり、カップ本体１０２の中心軸線と、カッター１０６の軸線との間に、偏心距離Ｌ６があることが好ましい。
【００６９】
この実施例において、図７に示すように、カップ本体ベース円の円心ＯＣを通るカップ本体１０２の中心軸線、カッターの軸線ＯＫを通るカッター１０６の軸線、及びカッターヘッドベース円の円心ＯＰを通るカッターヘッド１０４の中心軸線の間に、いずれも偏心距離があり、この偏心構造を採用することによって、攪拌のスワール効果を更に改善し、カッター１０６が食物を粉砕することに有利であり、さらに攪拌性能を向上させ、食物の食感が良く、ユーザー体験を向上させる。カップ本体の中心軸線、カッターの中心軸線、及びカッターヘッドの中心軸線が非直線又は非平行の時に、各中心軸線間の距離とは、各中心軸線と任意の同一横断面との交点間の距離を示す。
【００７０】
本発明の一実施例において、輪郭線における異なる点からベース円の円心までの距離から、ベース円半径をマイナスした絶対値である輪郭偏心距離を更に含み、カップ本体１０２の輪郭偏心距離はＬ７であり、カッターヘッドの輪郭偏心距離はＬ８であることが好ましい。
【００７１】
この実施例において、一態様として、カップ本体１０２輪郭自身が偏心し、カップ本体１０２の輪郭偏心距離はＬ７である。一態様として、カップ本体の輪郭偏心距離はＬ７であり、カッターヘッドの輪郭偏心距離はＬ８である。偏心構造によって、スポイラー効果を改善し、さらに破砕性能を向上させる。
【００７２】
本発明の一実施例において、偏心距離Ｌ１、偏心距離Ｌ２、偏心距離Ｌ３、偏心距離Ｌ４、偏心距離Ｌ５及び偏心距離Ｌ６のとる値の範囲は、それぞれ、０ｍｍ≦Ｌ１≦５０ｍｍ、０ｍｍ≦Ｌ２≦５０ｍｍ、０ｍｍ≦Ｌ３≦５０ｍｍ、０ｍｍ≦Ｌ４≦５０ｍｍ、０ｍｍ≦Ｌ５≦５０ｍｍ、０ｍｍ≦Ｌ６≦５０ｍｍであり、カップ本体の輪郭偏心距離Ｌ７、カッターヘッドの輪郭偏心距離Ｌ８のとる値の範囲は、それぞれ、０ｍｍ≦Ｌ７≦１００ｍｍ、０ｍｍ≦Ｌ８≦１００ｍｍであることが好ましい。
【００７３】
この実施例において、合理的な偏心距離を設置することによって、最適なスポイラー効果を実現し、攪拌性能を向上させる。
【００７４】
本発明の一実施例において、カッターヘッド１０４とカップ本体１０２とは一体構造又は別体構造であることが好ましい。
【００７５】
この実施例において、一態様として、カッターヘッド１０４とカップ本体１０２とは一体構造であり、安定性が良く、取付し易く、生産効率を向上させる。一態様として、カッターヘッド１０４とカップ本体１０２とは別体構造であり、取外・メンテナンスし易いが、カッターヘッド１０４とカップ本体１０２との密封性を保証するために、カッターヘッド１０４とカップ本体１０２との間に、リングシールを設けることが好ましい。
【００７６】
本発明の一実施例において、カップ本体１０２の横断面は凸円形であり、及び／又は、カッターヘッド１０４の横断面は凸円形であることが好ましい。
【００７７】
この実施例において、一態様として、カップ本体１０２の横断面は凸円形であり、一態様として、カップ本体１０２とカッターヘッド１０４の横断面のいずれも凸円形である。不規則的な曲線で偏心を作ることによって、カップ本体１０２のスポイラー効果を改善し、カッター１０６が食物を粉砕することに有利であり、さらに攪拌性能を向上させる。本発明は、更に好ましいのは、凸円形は楕円であり、具体的な実施例において、カップ本体１０２の横断面は楕円であり、このような構造のカップ本体１０２は加工し易く、同時にカッターヘッド１０４の中心軸、カッター１０６の中心軸、及びカップ本体１０２の中心軸をそれぞれ楕円の二つの焦点に配置して、偏心を形成することで、構造が簡単であり、操作し易く、且つカップ本体１０２のスポイラー効果が更に改善でき、カッター１０６が食物を粉砕することに有利であり、さらに攪拌性能を向上させる。具体的な実施例において、一態様として、楕円は二つ焦点Ｆ１とＦ２を有し、カッターヘッド１０４の中心軸と、カッター１０６の中心軸とは、楕円の二つの焦点Ｆ１とＦ２のうちの一つに同軸に配置し、カップ本体１０２の中心軸は、楕円の二つの焦点Ｆ１とＦ２のうちのもう一つに配置する。一態様として、カッターヘッド１０４の中心軸とカッター１０６の中心軸とが、同軸ではなく、それぞれ楕円の二つの焦点Ｆ１とＦ２のうちの一つに位置し、カップ本体１０２の中心軸を、カッターヘッド１０４の中心軸とカッター１０６の中心軸のうちの一方と同軸とする。一態様として、カッターヘッド１０４の中心軸とカッター１０６の中心軸とが、同軸ではなく、それぞれ楕円の二つの焦点Ｆ１とＦ２のうちの一つに位置し、カップ本体１０２の中心軸、カッターヘッド１０４の中心軸、及びカッター１０６の中心軸のいずれも同軸ではなく、カップ本体１０２の中心軸が、楕円の二つの焦点Ｆ１とＦ２以外の点に位置する。以上は一部の実施例に過ぎず、本申請の保護範囲はこれに限らず、カップ本体１０２の中心軸、カッターヘッド１０４の中心軸、及びカッター１０６の中心軸の配置位置は、最適な効果を実現するように、具体的な状況によって実施する。
【００７８】
本発明の一実施例において、図２に示すように、カップ壁は、前記カップ本体１０２の外壁と内壁とを含み、カップ本体１０２の輪郭線は、カップ本体１０２の外壁とカップ本体１０２の外壁横断面との交線であり、又は、カップ本体１０２の輪郭線は、カップ本体１０２の内壁とカップ本体１０２の内壁横断面との交線であることが好ましい。
【００７９】
この実施例において、カップ本体１０２の輪郭線は、カップ本体１０２の外壁とカップ壁横断面との交線、即ちカップ本体の内輪郭線１１０４であっても良く、カップ本体１０２の内壁とカップ壁横断面との交線、即ちカップ本体の外輪郭線１１０２であっても良い。様々な方法で輪郭線が得られ、且つ同一輪郭線における異なる点から、前記カッターヘッド１０４における前記ベース円の円心までの距離が異なり、偏心構造を形成して、さらにスワール効果を改善し、攪拌性能を向上させる。
【００８０】
本発明の一実施例において、カッター１０６は、少なくとも２セットのナイフブレードを含み、各セットのナイフブレードは、少なくとも２枚のブレード１２６を含み、１セットのナイフブレードのブレード１２６が下向きに傾いて延伸し、１セットのナイフブレードのブレード１２６が上向きに傾いて延伸し、又は、１セットのナイフブレードのブレード１２６が水平に延伸し、１セットのナイフブレードのブレード１２６が、上向き又は下向きに傾いて延伸することが好ましい。
【００８１】
この実施例において、複数のセットのナイフブレードを設け、且つ各セットのナイフブレードの延伸角度が異なることによって、カップ本体のスポイラー効果を更に向上させ、カッター１０６と食物との接触面積を増加して、食物に対する複数回の破砕を実現して、食物の破砕がもっと徹底的になり、食物の食感が良く、ユーザー使用の満足度を向上させる。
【００８２】
本発明の一実施例において、カッター１０６は２セットのナイフブレードであり、それぞれは、第１のナイフブレード１２２と第２のナイフブレード１２４であり、各セットのナイフブレードは２枚のブレード１２６からなり、第１のナイフブレード１２２のブレード１２６は、傾斜部と水平部を含み、傾斜部がカッターヘッドの中心軸線に接近し、水平部がカッターヘッドの中心軸線から離れ、第１のナイフブレード１２２のブレード１２６が下向きに傾いて延伸し、且つ第２のナイフブレード１２４の下方に設けられ、第２のナイフブレード１２４のブレード１２６が上向きに傾いて延伸することが好ましい。
【００８３】
この実施例において、２セットナイフブレードを設ける。第１のナイフブレード１２２が第２のナイフブレード１２４の上方に設けられ、且つ第１のナイフブレード１２２のブレード１２６が下向きに延伸し、第２のナイフブレード１２４の方向は上向きに延伸し、延伸方向が逆となる。上方両側のナイフブレードを設けることで、カッター１０６と食物との接触面積を十分に増加し、破砕効率を向上させる。ブレード１２６の延伸方向を逆方向に設けることで、高さが異なるスポイラー効果と破砕効果を更に改善して、食物破砕効率を全体的に向上させ、破砕効果も改善され、食物の食感及びユーザーの使用体験を向上させる。
【００８４】
本発明の一実施例において、第１のナイフブレード１２２と第２のナイフブレード１２４とは一体構造であることが好ましい。
【００８５】
この実施例において、２セットのナイフブレードを一体構造に設けることで、カッター１０６の全体的な強度を増加し、カッター１０６の使用の信頼性を保証し、カッター１０６の使用寿命を延ばし、且つ一体式のカッター１０６であるため、メンテナンスと取付し易く、生産効率を向上させる。
【００８６】
本発明の一実施例において、カップ本体１０２内にはスポイラーリブ１１２が設けられ、カップ本体１０２にはカップ蓋１１６が設けられ、カップ蓋１１６には投入口１１８が設けられ、投入口１１８には投入口カバー１２０が設けられていることが好ましい。
【００８７】
この実施例において、カップ本体１０２内には、スポイラーリブ１１２を設けることによって、スポイラー効果と破砕効果を更に改善し、カップ本体１０２に、カップ蓋１１６を設けることで、カップ本体１０２が食物を破砕する過程における飛散で、環境衛生に影響することがないように保証する。更に、カップ蓋１１６には、投入口１１８を設けすることで、投入し易くなり、カップ蓋１１６を頻繁に開けることを避け、操作ステップを減少できる。カップ本体１０２内に不純物が入らないことを保証するために、投入口１１８には、投入口カバー１２０が設けられ、投入完了後、投入口カバー１２０で投入口１１８を閉めて、使用衛生を保証する。
【００８８】
本発明の一実施例において、カップ本体１０２が設置されるカップ台１１４を更に含み、カップ本体１０２とカップ台１１４とが、螺合接続されるか、又は係着されることが好ましい。
【００８９】
この実施例において、カップ本体１０２がカップ台１１４に設置され、カップ本体１０２とカップ台１１４とが螺合接続され、又は係着され、構造が簡単であり、取付と取外し易く、生産効率を向上させ、生産コストを低減する。
【００９０】
本発明の一実施例において、カッターヘッド１０４とカップ本体１０２との間に、リングシールが設けられ、カップ本体１０２とカップ台１１４とが螺号接続されることにより、カッターヘッドをカップ本体１０２の底部に押し付けて固定することが好ましい。
【００９１】
この実施例において、カッターヘッド１０４とカップ本体１０２との間にリングシールを設けることで、カップ本体１０２とカッターヘッド１０４との間の密封効果を保証し、更に、カップ本体１０２とカップ台１１４とが螺合接続され、カッターヘッド１０４をカップ本体１０２の底部に押しつけて、カッターヘッド１０４の固定に更に有利であり、使用安全性を保証する。
【００９２】
本発明の一実施例において、食物調理器は、ブレンダー、ミキサー、ジューサーを含むことが好ましい。
【００９３】
この実施例において、偏心攪拌機能を備える食物調理器は、ブレンダー、ミキサー、ジューサー、豆乳マシンなどを含み、偏心設計によって、スワール効果を改善して、攪拌性能を向上させ、食物の食感が良く、ユーザー体験を向上させる。
【００９４】
図１０及び図１１に示すように、本発明で提供する食物調理器の具体的な実施例に係るブレンダーは、主に、カップ本体部品、攪拌カッター１０６、カッターヘッド１０４、及び攪拌カップ台１１４を含み、攪拌カッターがカッターヘッド１０４上に設けられ、カップ本体部品とカッターヘッド１０４とが連結され、カプラー１３４が攪拌カップ台１１４上に設けられる。カップ本体部品は、ミキシングカップ本体１０２と、ミキシングカップ本体の上に位置されるカップ蓋１１６と、を含み、カップ蓋１１６には、投入口１１８が設けられ、投入口１１８には、投入口カバー１２０が設けられ、カップ蓋１１６とミキシングカップ本体１０２との間にカップ蓋リングシール１２８が設けられ、ミキシングカップ本体１０２とカッターヘッド１０４とが別体構造であるとき、ミキシングカップ本体１０２とカッターヘッド１０４との間に、ミキシングカップリングシール１３０とカッターヘッドリングシール１３２が設けられる。カップ本体が偏心するか、又は、カップ本体の軸線と、カッターヘッドの軸線と、カッターの軸線とが相対的に偏心する構造を採用することによって、食物のスポイラー効果が有効的に改善でき、食物の食感が良く、ユーザーの使用満足度を向上させる。
【００９５】
本明細書の説明において、明確且つ具体的な限定がない限り、用語である「複数の」は、二つ又は二つ以上である。限定又は説明がない限り、「取付け」、「連結」、「接続」、「固定」などの用語の意味は広く理解されるべきであり、例えば、「接続」は固定接続であっても、取り外し可能な接続であっても、又は一体的に接続であってもよく、「連結」は直接的に連結することや、中間媒体を介して間接的に連結することも可能である。当業者にとって、具体的な状況に応じて上記用語の本発明中の具体的な意味を利用することができる。
【００９６】
明細書の記載において、「一実施例」、「一部の実施例」、「具体的な実施例」等の説明は、当該実施例又は例示的に説明した具体的な特徴、構造、材料又は特点が本発明の少なくとも一実施例又は実例に含まれることを意味する。本明細書において、上記用語の説明は同一の実施例又は実例を意味するものではない。そして、説明した具体的な特徴、構造、材料又は特点はいずれかの一つ又は複数の実施例又は実例で適切な方式で結合することができる。
【００９７】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。 
【００９８】
ここで、図１乃至図１１における符号と部材名との対応関係は以下のとおりである。
１：食物調理器、１０２：カップ本体、１０４：カッターヘッド、１０６：カッター、１０８：カップ本体ベース円、１１０：カップ本体輪郭線、１１０２：外輪郭線、１１０４：内輪郭線、１１２：スポイラーリブ、１１４：カップ台、１１６：カップ蓋、１１８：投入口、１２０：投入口カバー、１２２：第１のナイフブレード、１２４：第２のナイフブレード、１２６：ブレード、１２８：カップ蓋リングシール、１３０：ミキシングカップリングシール、１３２：カッターヘッドリングシール、１３４：カプラー。
【図１】
2019528924.tif 000003
【図２】
2019528924.tif 000004
【図３】
2019528924.tif 000005
【図４】
2019528924.tif 000006
【図５】
2019528924.tif 000007
【図６】
2019528924.tif 000008
【図７】
2019528924.tif 000009
【図８】
2019528924.tif 000010
【図９】
2019528924.tif 000011
【図１０】
2019528924.tif 000012
【図１１】
2019528924.tif 000013
【国際調査報告】
2019528924.tif 000014
2019528924.tif 000015
2019528924.tif 000016
2019528924.tif 000017
2019528924.tif 000018